(57)【要約】【課題】１つの動画像ファイルの再生時において見たいシーンから素早く再生する。【解決手段】６本の磁気テープの記録映像信号を夫々にデジタル化することで、夫々に動画像の画像データを格納した６つの画像ファイルを作成する。この際、各動画像においてシーンチェンジ点を検出し、検出結果をＳＣタグ情報として各画像ファイルに書き込んでおく。再生モードが起動すると、６つの動画像に対応する６つのサムネイル画像が並列表示される。所望のサムネイル画像を選択した状態で、所定のキーを短押しすると選択サムネイル画像に対応する対象動画像が最初から再生されるが、所定のキーを長押しすると、対象動画像におけるシーンチェンジ点の画像（３５２、３５３）が表示される。シーンチェンジ点の画像（３５２）を選択して所定のキー操作を行うと、対象動画像がシーンチェンジ点から再生される。【選択図】図１２
2014086815.tif 000002
【特許請求の範囲】
【請求項１】
対象動画像の時系列上における特異点を検出し、検出結果を付与して前記対象動画像を記録媒体に記録する記録制御部と、
接続された表示部の表示内容を制御する表示制御部と、
操作の入力を受ける操作部と、を備え、
前記表示制御部は、前記対象動画像を含む１以上の動画像に対応する１以上のサムネイル画像を表示している状態において、前記対象動画像に対応するサムネイル画像を指定する所定の第１操作が入力されたとき前記対象動画像を最初から再生する一方、前記第１操作と異なり且つ前記対象動画像に対応するサムネイル画像を指定する所定の第２操作が入力されたとき前記対象動画中の前記特異点に対応する特異点画像を表示し、表示された前記特定点画像を指定する所定の第３操作が入力されたとき前記特異点から前記対象動画像を再生する
ことを特徴とする電子機器。
【請求項２】
前記１以上のサムネイル画像に含まれる前記対象動画像に対応するサムネイル画像を、前記対象動画像から生成して前記対象動画像に対応付けるサムネイル処理部を更に備え、
前記サムネイル処理部は、所定の置き換え指示操作の入力に応答して、前記対象動画像の前記サムネイル画像を前記特異点画像に置き換える
ことを特徴とする請求項１に記載の電子機器。
【請求項３】
前記表示制御部は、所定の第４操作の入力に応答して前記特異点画像を表示し、
前記第４操作の入力に応答して前記特異点画像が表示されている状態において前記置き換え指示操作が入力されたとき、前記サムネイル処理部は、前記対象動画像の前記サムネイル画像を前記特異点画像に置き換え、
前記第４操作の入力に応答して前記特異点画像が表示されている状態において所定の送り操作又は戻り操作が入力されたとき、前記表示制御部は、前記特異点のタイミングより後のタイミング又は前記特異点のタイミングより前のタイミングにおける画像を前記対象動画像から抽出して表示し、抽出画像が表示されている状態において前記置き換え指示操作が入力されたとき、前記サムネイル処理部は、前記対象動画像の前記サムネイル画像を前記抽出画像に置き換える
ことを特徴とする請求項２に記載の電子機器。
【請求項４】
前記記録制御部は、前記記録媒体に画像ファイルを作成して前記画像ファイルに前記対象動画像の画像データを書き込むことで前記対象動画像を前記記録媒体に記録し、
前記表示制御部は、所定操作の入力に応答して前記特異点画像を表示し、
前記所定操作の入力に応答して前記特異点画像が表示されている状態において所定の削除指示操作が入力されたとき、前記記録制御部は、前記特異点のタイミングから始まる、前記対象動画像の一部を、前記画像ファイルから削除する
ことを特徴とする請求項１〜請求項３の何れかに記載の電子機器。
【請求項５】
前記記録制御部は、前記記録媒体に画像ファイルを作成して前記画像ファイルに前記対象動画像の画像データを書き込むことで前記対象動画像を前記記録媒体に記録し、
前記記録制御部は、前記対象動画像の記録後、前記対象動画像の一部である削除対象区間中の動画像部分を前記画像ファイルから削除する部分削除処理部を有し、前記部分削除処理部は、前記操作部を介し、前記特異点のタイミングを基準に前記削除対象区間の指定を受け付け可能である
ことを特徴とする請求項１〜請求項３の何れかに記載の電子機器。
【請求項６】
対象動画像の時系列上における特異点を検出し、検出結果を付与して前記対象動画像を記録媒体に記録する記録制御部と、
操作の入力を受ける操作部と、
前記対象動画像からサムネイル画像を生成して該サムネイル画像を前記対象動画像に対応付けるサムネイル処理部と、を備え、
前記サムネイル処理部は、所定操作に入力に応答して、前記対象動画像に対応するサムネイル画像を前記対象動画中の前記特異点に対応する特異点画像に置き換える
ことを特徴とする電子機器。
【請求項７】
対象動画像の時系列上における特異点を検出し、検出結果を付与して前記対象動画像を記録媒体に記録する記録制御部と、
接続された表示部の表示内容を制御する表示制御部と、
操作の入力を受ける操作部と、を備え、
前記記録制御部は、前記記録媒体に画像ファイルを作成して前記画像ファイルに前記対象動画像の画像データを書き込むことで前記対象動画像を前記記録媒体に記録し、
前記表示制御部は、所定操作の入力に応答して前記対象動画中の前記特異点に対応する特異点画像を表示し、
前記所定操作の入力に応答して前記特異点画像が表示されている状態において所定の削除指示操作が入力されたとき、前記記録制御部は、前記特異点のタイミングから始まる、前記対象動画像の一部を、前記画像ファイルから削除する
ことを特徴とする電子機器。
【請求項８】
対象動画像の時系列上における特異点を検出し、検出結果を付与して前記対象動画像を記録媒体に記録する記録制御部と、
操作の入力を受ける操作部と、を備え、
前記記録制御部は、前記記録媒体に画像ファイルを作成して前記画像ファイルに前記対象動画像の画像データを書き込むことで前記対象動画像を前記記録媒体に記録し、
前記記録制御部は、前記対象動画像の記録後、前記対象動画像の一部である削除対象区間中の動画像部分を前記画像ファイルから削除する部分削除処理部を有し、前記部分削除処理部は、前記操作部を介し、前記特異点のタイミングを基準に前記削除対象区間の指定を受け付け可能である
ことを特徴とする電子機器。
【請求項９】
前記特異点は、シーンチェンジ点を含む
ことを特徴とする請求項１〜請求項８の何れかに記載の電子機器。
【発明の詳細な説明】
【技術分野】
【０００１】
本発明は、電子機器に関する。
【背景技術】
【０００２】
数年前までは、Ｈｉ８、ＤＶＣ及びＶＨＳ−Ｃなどの磁気テープに映像信号を記録するビデオカメラが主流であり、多数普及した。しかし、現在では、半導体メモリや磁気ディスク等に画像を記録するビデオカメラが主流となり、磁気テープ式のビデオカメラは店頭から完全に又はほぼ消滅した。このため、記録時に利用したビデオカメラが壊れると、その代替となる機器の新規購入が困難であるが故に、磁気テープに記録された映像は、再生が極めて困難となる。
【０００３】
そこで、磁気テープに記録した映像のデジタルファイル化のための製品も開発及び発売されている（例えば下記非特許文献１参照）。この種の製品では、アナログ映像信号を本体内にてデジタル化してからパーソナルコンピュータに入力し、パーソナルコンピュータにてデジタルファイル化を行うようにしている。
【先行技術文献】
【非特許文献】
【０００４】
【非特許文献１】Ｉ・Ｏデータ、ＵＳＢ接続ビデオキャプチャーカタログ、“ＧＶ−ＵＳＢ２／ＨＱ”、［ｏｎｌｉｎｅ］、平成２２年、［平成２４年１月２５日検索］、インターネット＜URL：http://www.iodata.jp/product/av/capture/gv-usb2hq＞
【発明の概要】
【発明が解決しようとする課題】
【０００５】
上記のような製品を利用するユーザは、通常、磁気テープ（例えば６０分や１２０分の磁気テープ）の１本分、磁気テープ式のビデオカメラに映像信号を連続再生させて該映像信号を上記製品に入力する。これにより、磁気テープの１本に対して１つの画像ファイル（動画像ファイル）が作成される。一方で、１本の磁気テープには、複数個のシーン（イベント）の映像信号が時系列に沿って順次記録されていることが多い。故に、互いに異なる複数の期間に撮影された複数のシーン（イベント）が１つの画像ファイルに記録されることになり、再生時における画像の検索性が低くなる（見たい映像部分を素早く再生させることができない）。例えば、図２１に示す如く、運動会、クリスマス会、雪遊びの様子を時系列順に撮影した映像信号が１本の磁気テープに含まれている場合において、画像ファイルへの変換後、クリスマス会の様子を再生させたい場合、早送り機能等を用いて画像ファイルの先頭からクリスマス会の映像部分をユーザ自身が探さなければならない。１つのシーンの再生が終了するたびに、磁気テープ式のビデオカメラの再生及び上記製品によるデジタルファイル化を手動で停止させれば、シーンごとに画像ファイルを作成することができ、結果、再生時における画像の検索性を上げることができるが、そのような手動停止はユーザにとって作業負担が重い。
【０００６】
また、電子機器における動画像の再生モードでは、一般的にまず、動画像を代表するサムネイル画像が表示される。サムネイル画像は、例えば動画像の第１フレームの縮小画像であり、従って図２１の例では、運動会におけるフレームからサムネイル画像が生成される。しかしながら、上記１本の磁気テープ分の映像に関し、ユーザが代表画像と考える画像は、クリスマス会又は雪遊びにおける画像であるかもしれない（例えば、運動会は磁気テープの最初の数１０秒分しかなく、クリスマス会の様子の映像が磁気テープの大部分を占めるかもしれない）。このような場合、ユーザは、サムネイル画像をクリスマス会又は雪遊びにおける画像に置き換えたいと望むことがある。画像編集ソフト等を用いれば、そのような置き換えも可能ではあるが、相応の手間がかかり、置き換え自体を諦めるユーザも多い。
【０００７】
また、磁気テープ１本分の映像の中には、不要なシーンの区間である不要区間（例えば、誤って地面を撮影している区間、映像信号の存在しない区間（ブルーバック区間）、ユーザ自身が不要と考える冗長な区間）が存在することもある。このような磁気テープから１つの画像ファイルを作成した場合、ユーザは、不要区間の動画像部分を画像ファイルから削除したいと望むことがある。画像編集ソフト等を用いれば、そのような削除も可能ではあるが、相応の手間がかかり、削除自体を諦めるユーザも多い。
【０００８】
尚、磁気テープに記録された映像信号から画像ファイルを生成する場合に注目して、幾つかの従来課題を上述したが、他の映像信号出力源（例えば、固体撮像素子）から画像ファイルを作成する場合においても、同様の課題が生じえる。
【０００９】
そこで本発明は、動画像の途中（例えば所望シーン）からの素早い再生を可能にする電子機器を提供することを目的とする。また本発明は、簡便にサムネイル画像の所望画像への置き換えを可能にする電子機器を提供することを目的とする。また本発明は、動画像の記録後に不要と考える区間を簡便に削除可能な電子機器を提供することを目的とする。
【課題を解決するための手段】
【００１０】
本発明に係る第１の電子機器は、対象動画像の時系列上における特異点を検出し、検出結果を付与して前記対象動画像を記録媒体に記録する記録制御部と、接続された表示部の表示内容を制御する表示制御部と、操作の入力を受ける操作部と、を備え、前記表示制御部は、前記対象動画像を含む１以上の動画像に対応する１以上のサムネイル画像を表示している状態において、前記対象動画像に対応するサムネイル画像を指定する所定の第１操作が入力されたとき前記対象動画像を最初から再生する一方、前記第１操作と異なり且つ前記対象動画像に対応するサムネイル画像を指定する所定の第２操作が入力されたとき前記対象動画中の前記特異点に対応する特異点画像を表示し、表示された前記特定点画像を指定する所定の第３操作が入力されたとき前記特異点から前記対象動画像を再生することを特徴とする。
【００１１】
これにより、対象動画像の特異点に対応するシーンから対象動画像を再生することが可能となり、見たい映像部分の速やかなる再生が支援される。
【００１２】
また例えば、前記１以上のサムネイル画像に含まれる前記対象動画像に対応するサムネイル画像を、前記対象動画像から生成して前記対象動画像に対応付けるサムネイル処理部を前記電子機器に設けておいても良く、前記サムネイル処理部は、所定の置き換え指示操作の入力に応答して、前記対象動画像の前記サムネイル画像を前記特異点画像に置き換えても良い。
【００１３】
より具体的には例えば、前記表示制御部は、所定の第４操作の入力に応答して前記特異点画像を表示し、前記第４操作の入力に応答して前記特異点画像が表示されている状態において前記置き換え指示操作が入力されたとき、前記サムネイル処理部は、前記対象動画像の前記サムネイル画像を前記特異点画像に置き換え、前記第４操作の入力に応答して前記特異点画像が表示されている状態において所定の送り操作又は戻り操作が入力されたとき、前記表示制御部は、前記特異点のタイミングより後のタイミング又は前記特異点のタイミングより前のタイミングにおける画像を前記対象動画像から抽出して表示し、抽出画像が表示されている状態において前記置き換え指示操作が入力されたとき、前記サムネイル処理部は、前記対象動画像の前記サムネイル画像を前記抽出画像に置き換えても良い。
【００１４】
また例えば、前記記録制御部は、前記記録媒体に画像ファイルを作成して前記画像ファイルに前記対象動画像の画像データを書き込むことで前記対象動画像を前記記録媒体に記録し、前記表示制御部は、所定操作の入力に応答して前記特異点画像を表示し、前記所定操作の入力に応答して前記特異点画像が表示されている状態において所定の削除指示操作が入力されたとき、前記記録制御部は、前記特異点のタイミングから始まる、前記対象動画像の一部を、前記画像ファイルから削除しても良い。
【００１５】
また例えば、  前記記録制御部は、前記記録媒体に画像ファイルを作成して前記画像ファイルに前記対象動画像の画像データを書き込むことで前記対象動画像を前記記録媒体に記録し、前記記録制御部は、前記対象動画像の記録後、前記対象動画像の一部である削除対象区間中の動画像部分を前記画像ファイルから削除する部分削除処理部を有し、前記部分削除処理部は、前記操作部を介し、前記特異点のタイミングを基準に前記削除対象区間の指定を受け付け可能であっても良い。
【００１６】
本発明に係る第２の電子機器は、対象動画像の時系列上における特異点を検出し、検出結果を付与して前記対象動画像を記録媒体に記録する記録制御部と、操作の入力を受ける操作部と、前記対象動画像からサムネイル画像を生成して該サムネイル画像を前記対象動画像に対応付けるサムネイル処理部と、を備え、前記サムネイル処理部は、所定操作に入力に応答して、前記対象動画像に対応するサムネイル画像を前記対象動画中の前記特異点に対応する特異点画像に置き換えることを特徴とする。
【００１７】
特異点に対応する特異点画像が、サムネイル画像として相応しい画像である場合がある。第２の電子機器によれば、簡便にサムネイル画像を所望画像に置き換えることが可能になる。
【００１８】
本発明に係る第３の電子機器は、対象動画像の時系列上における特異点を検出し、検出結果を付与して前記対象動画像を記録媒体に記録する記録制御部と、接続された表示部の表示内容を制御する表示制御部と、操作の入力を受ける操作部と、を備え、前記記録制御部は、前記記録媒体に画像ファイルを作成して前記画像ファイルに前記対象動画像の画像データを書き込むことで前記対象動画像を前記記録媒体に記録し、前記表示制御部は、所定操作の入力に応答して前記対象動画中の前記特異点に対応する特異点画像を表示し、  前記所定操作の入力に応答して前記特異点画像が表示されている状態において所定の削除指示操作が入力されたとき、前記記録制御部は、前記特異点のタイミングから始まる、前記対象動画像の一部を、前記画像ファイルから削除することを特徴とする。
【００１９】
これにより、対象動画像の記録後に、不要と考える区間（例えば、特異点のタイミングから始まるシーンの撮影区間）を簡便に削除することが可能となる。
【００２０】
本発明に係る第４の電子機器は、対象動画像の時系列上における特異点を検出し、検出結果を付与して前記対象動画像を記録媒体に記録する記録制御部と、操作の入力を受ける操作部と、を備え、前記記録制御部は、前記記録媒体に画像ファイルを作成して前記画像ファイルに前記対象動画像の画像データを書き込むことで前記対象動画像を前記記録媒体に記録し、前記記録制御部は、前記対象動画像の記録後、前記対象動画像の一部である削除対象区間中の動画像部分を前記画像ファイルから削除する部分削除処理部を有し、前記部分削除処理部は、前記操作部を介し、前記特異点のタイミングを基準に前記削除対象区間の指定を受け付け可能であることを特徴とする。
【００２１】
これにより、簡便に削除対象区間（不要区間）の動画像部分を画像ファイルから削除することが可能となる。
【００２２】
また例えば、前記特異点はシーンチェンジ点を含んでいる。
【発明の効果】
【００２３】
本発明によれば、動画像の途中（例えば所望シーン）からの素早い再生を可能にする電子機器、簡便にサムネイル画像の所望画像への置き換えを可能にする電子機器、及び、動画像の記録後に不要と考える区間を簡便に削除可能な電子機器を提供することが可能である。
【図面の簡単な説明】
【００２４】
【図１】本発明の実施形態に係る電子機器の概略全体ブロック図である。
【図２】本発明の実施形態に係る操作部の構成図である。
【図３】画像データ及び音響データの記録に関わる部位のブロック図である。
【図４】１つの動画像の全区間を示す図である。
【図５】画像ファイルの構造を示す図（ａ）と、画像ファイル内の付加情報を示す図（ｂ）である。
【図６】６つの磁気テープからのアナログ映像信号と６つのデジタル動画像を示す図である。
【図７】記録媒体に６つの画像ファイルが保存されている様子を示す図である。
【図８】一連のアナログ映像信号と、それに基づくデジタル動画像と、シーンチェンジ点との関係を示す図である。
【図９】表示制御部が表示部に接続されている様子を示す図である。
【図１０】表示画面における第１レイアウトを示す図である。
【図１１】サムネイル表示が成された表示画面を示す図である。
【図１２】本発明の第１実施例に係り、表示画面の変遷を示す図である。
【図１３】サムネイル処理部を示す図である。
【図１４】本発明の第２実施例に係り、表示画面の変遷を示す図である。
【図１５】表示画面における第２レイアウトを示す図である。
【図１６】本発明の第２実施例において表示されうる画像を示す図である。
【図１７】本発明の第３実施例で想定される動画像の構造を示す図である。
【図１８】本発明の第３実施例に係り、表示画面の変遷を示す図である。
【図１９】本発明の第３実施例に係り、確認表示が成された表示画面を示す図である。
【図２０】本発明の第４実施例に係り、表示画面の変遷を示す図である。
【図２１】従来技術に係り、磁気テープ１本分の記録映像の概念図である。
【発明を実施するための形態】
【００２５】
以下、本発明の実施形態の例を、図面を参照して具体的に説明する。参照される各図において、同一の部分には同一の符号を付し、同一の部分に関する重複する説明を原則として省略する。尚、本明細書では、記述の簡略化上、情報、信号、物理量、状態量又は部材等を参照する記号又は符号を記すことによって該記号又は符号に対応する情報、信号、物理量、状態量又は部材等の名称を省略又は略記することがある。
【００２６】
図１は、本発明の実施形態に係る電子機器１の概略全体ブロック図である。電子機器１は、符号１１〜１９によって参照される各部位を備える。
【００２７】
入力端子１１は、アナログ信号供給源（不図示）からアナログ映像信号及びアナログ音響信号の入力を受ける。入力端子１１への入力アナログ映像信号は、任意の規格（例えば、National Television System Committeeの規格）に従ったアナログの映像信号であり、入力端子１１への入力アナログ音響信号は、入力端子１１への入力アナログ映像信号に同期したアナログの音響信号である。アナログ信号供給源は、例えば、アナログ映像信号及びアナログ音響信号を記録及び再生可能なビデオカメラ、又は、アナログ映像信号及びアナログ音響信号を再生可能な再生機器であり、磁気テープ等に記録されたアナログ映像信号及びアナログ音響信号を再生することでそれらを入力端子１１に供給する。
【００２８】
アナログ信号処理部１２は、入力端子１１への入力アナログ映像信号及び入力アナログ音響信号をデジタル化するアナログ／デジタル変換処理を実行し、これによって任意の規格に従ったデジタルの映像信号（ＲＧＢ形式又はＹＵＶ形式の映像信号）及び音響信号を生成する。アナログ信号処理部１２にて生成されるデジタルの映像信号をデジタル画像データ又は単に画像データと呼び、アナログ信号処理部１２にて生成されるデジタルの音響信号をデジタル音響データ又は単に音響データと呼ぶ。アナログ信号処理部１２は、入力アナログ映像信号及び音響信号からデジタル画像データ及び音響データを生成する過程において、アナログ／デジタル変換処理以外の所定の信号処理（例えば、ノイズ低減処理、エッジ強調処理）を行うようにしても良い。尚、或る動画像に関し、アナログ映像信号もデジタル画像データも、動画像の画像信号の一種である。
【００２９】
主制御部１３は、電子機器１内の各部位の動作を統括的に制御する。主制御部１３を集積回路にて形成することができる。主制御部１３は、様々なプログラムを実行可能なＣＰＵ（Central Processing Unit）３１と、ＭＰＥＧ（Moving Picture Experts Group）等の任意のデータ圧縮規格に従ってデジタル画像データ及び音響データの圧縮を行う圧縮処理部３２と、を有する。
【００３０】
メモリ部１４は、例えば半導体メモリから成り、ＣＰＵ３１で実行される各種プログラムを記憶するプログラムメモリ及び主制御部１３で生成及び利用される任意のデータの一時的記憶を行うデータメモリを有する。表示部１５は、液晶ディスプレイパネル等の表示画面を有する表示装置であり、主制御部１３の制御の下、任意の画像を表示する。記録媒体１６は、半導体メモリ、光ディスク、磁気ディスク又は光磁気ディスク等の不揮発性メモリであり、主制御部１３の制御の下、画像データを含む任意のデータを記録する。操作部１７は、ユーザからの各種操作の入力を受け付ける。操作部１７に入力された操作内容は主制御部１３に伝達される。表示部１５にタッチパネルが設けられる場合、該タッチパネルは操作部１７に含まれる。スピーカ部１８は、任意の音響データ（例えば、記録媒体１６に記録された音響データ）を音として再生出力する。また、主制御部１３は、自身が取り扱う任意の画像データ及び音響データを、出力端子１９を介して電子機器１の外部機器（例えばテレビ受信機）に出力することができる。尚、表示部１５は、電子機器１の外部に設けられ且つ電子機器１に対して無線又は有線にて接続された外部表示装置（例えば、出力端子１９に接続された外部表示装置）であると考えても良い。
【００３１】
操作部１７に、様々なボタン、キー、ダイヤル等を設けておくことができる。本実施形態では、図２に示す如く、操作部１７に、上キー４１、下キー４２、左キー４３及び右キー４４から成る方向キー４０と、キー４５〜４７が設けられているものとする。
【００３２】
図３は、画像データ及び音響データの記録に関わる部位のブロック図である。ファイル作成部３３及びシーンチェンジ検出部３４を主制御部１３に設けておくことができ、作成部３３及び検出部３４の機能の全部又は一部は、ＣＰＵ３１にて実現されうる。主制御部１３に内包される記録制御部５０は、処理部３２、作成部３３及び検出部３４を含んでいると考えることができる。アナログ信号処理部１２から供給される一連のデジタル画像データから成る任意の１つの動画像を動画像ＭＶと呼ぶ（但し、動画像ＭＶは一連の入力アナログ映像信号から形成される任意の１つの動画像でもある）。動画像ＭＶは、所定のフレーム周期で時系列上に並ぶ複数のフレーム画像（以下、単にフレームとも言う）から成る。動画像ＭＶにはデジタル音響データ（又はアナログ音響信号）が付随しているため、デジタル音響データ（又はアナログ音響信号）も動画像ＭＶの構成要素であると考える。図４に示す如く、動画像ＭＶの画像データが存在する時間軸上の区間の全体を全区間と呼ぶ。全区間の開始及び終了タイミング間の時間長さが動画像ＭＶの長さに相当する。
【００３３】
圧縮処理部３２は、動画像ＭＶのデジタル画像データ及びデジタル音響データの圧縮を行って動画像ＭＶの圧縮画像データ及び圧縮音響データを生成する。
【００３４】
ファイル作成部３３は、記録媒体１６内に画像ファイルＦＬを作成し、画像ファイルＦＬ内に動画像ＭＶの圧縮画像データ及び圧縮音響データを書き込む（換言すれば、格納、保存、記録）ことで動画像ＭＶの圧縮画像データ及び圧縮音響データを記録媒体１６に記録する。図５（ａ）に１つの画像ファイルＦＬの構造を示す。画像ファイルＦＬは、互いに関連付けられた本体領域とヘッダ領域から形成され、本体領域内に動画像ＭＶの圧縮画像データ及び圧縮音響データが格納される。ファイル作成部３３は、ヘッダ領域に対して動画像ＭＶに付随する付加情報を書き込むことで、付加情報を動画像ＭＶに関連付けて記録媒体１６に保存する。図５（ｂ）に示す如く、付加情報は、動画像ＭＶを格納する画像ファイルＦＬのファイル名、動画像ＭＶのサムネイル画像及びＳＣタグ情報を含む（ＳＣタグ情報については後述）。動画像ＭＶのサムネイル画像は、例えば、動画像ＭＶの全区間中の所定タイミング（例えば開始タイミング又は終了タイミング）におけるフレームの縮小画像である。
【００３５】
シーンチェンジ検出部３４は、動画像ＭＶの画像データに基づき動画像ＭＶの時系列上の特異点であるシーンチェンジ点を検出する。動画像ＭＶは、１以上のシーン（撮影風景）を撮影することで得られるが、シーンチェンジ点とは、動画像ＭＶの中でシーン（撮影風景）が変化している時系列上の点（或るシーンから他のシーンへの切り替わり時点）を指す。時系列上の点をタイミングと考えても良い。尚、動画像ＭＶの開始タイミングはシーンチェンジ点ではない。
【００３６】
本実施形態では特に、動画像ＭＶの画像データの元となる入力アナログ映像信号及び音響信号が、磁気テープに記録された６０分の長さを有するアナログ映像信号及び音響信号であって、且つ、入力アナログ映像信号は、図示されないアナログビデオカメラによる撮影にて生成されて上記磁気テープに記録されていることを想定する。そうすると、６０分の長さを有する動画像ＭＶの中には１以上のシーンチェンジ点が内包されることが多い。更に、図６に示す如く、第１〜第６磁気テープに記録されたアナログ映像信号及び音響信号が磁気テープ毎に入力端子１１に入力された結果、第１〜第６磁気テープに対応する６つの画像ファイルＦＬ［１］〜ＦＬ［６］が記録媒体１６内に形成されて画像ファイルＦＬ［１］〜ＦＬ［６］に夫々動画像ＭＶ［１］〜ＭＶ［６］の圧縮画像データ及び圧縮音響データが記録されたことを想定する（図７参照）。動画像ＭＶ［１］〜ＭＶ［６］の夫々は動画像ＭＶの一種である。
【００３７】
図８に、デジタルの動画像ＭＶ［５］と、デジタルの動画像ＭＶ［５］の元となる６０分ぶんの入力アナログ映像信号３１０との関係を示す。入力アナログ映像信号３１０は、第１期間において第１シーンである運動会の様子を上記アナログビデオカメラで撮影することで得られたアナログ映像信号３１１と、第１期間より後の第２期間において第２シーンであるクリスマス会の様子を上記アナログビデオカメラで撮影することで得られたアナログ映像信号３１２と、第２期間より後の第３期間において第３シーンである雪遊びの様子を上記アナログビデオカメラで撮影することで得られたアナログ映像信号３１３とを、時系列上に並べて結合したものに相当する。映像信号３１１〜３１３を含む入力アナログ映像信号３１０の全体をデジタル化したものが動画像ＭＶ［５］のデジタル画像データである。
【００３８】
動画像ＭＶ［５］においては、第１及び第２期間の境界タイミングにおいて撮影のシーン（撮影風景）が変化しており、且つ、第２及び第３期間の境界タイミングにおいて撮影のシーン（撮影風景）が変化している。シーンチェンジ検出部３４は、動画像ＭＶ［５］の画像データを解析して、動画像ＭＶ［５］上においてそれらの境界タイミングを検出することで、シーンチェンジ点ＳＣ１及びＳＣ２を検出する。ファイル作成部３３は、シーンチェンジ点ＳＣ１及びＳＣ２のタイミングｔ１及びｔ２をＳＣタグ情報として画像ファイルＦＬ［５］のヘッダ領域に書き込む。動画像ＭＶ［５］以外の動画像（ＭＶ［１］等）についても同様にしてＳＣタグ情報が、対応するヘッダ領域に書き込まれる。
【００３９】
タイミングｔ１は第１シーンから第２シーンへの切り替わり直後のタイミングであり、タイミングｔ２は第２シーンから第３シーンへの切り替わり直後のタイミングである。タイミングｔ１、ｔ２そのものが、夫々、シーンチェンジ点ＳＣ１、ＳＣ２であると考えても良い。また、動画像ＭＶ［５］の全区間において、動画像ＭＶ［５］の開始タイミングからタイミングｔ１の直前までの区間、タイミングｔ１からタイミングｔ２の直前までの区間、タイミングｔ２から動画像ＭＶ［５］の終了タイミングまでの区間を、夫々、区間３３１、３３２、３３３と呼ぶ。
【００４０】
動画像の画像データに基づきシーンチェンジ点を検出する方法として様々な方法が公知となっており、シーンチェンジ検出部３４は、それらの公知の方法（例えば、特開２００３−２８３８３８号公報、特開２０１０−１４８０５３号公報に記載された方法）を用いてシーンチェンジ点を検出することができる。例えば、圧縮処理部３２では、動画像ＭＶの各フレームを複数のブロックに分割し、ブロックごとに画像データの圧縮を行うことでブロック毎に圧縮画像データである符号化データを生成するが、検出部３４は、動画像ＭＶのフレーム間において符号化データのデータ量（ビットレートを単位とするデータ量）の変化量が所定閾値以上になっているブロックの個数を計数し、計数された個数が所定値以上になっているタイミングをシーンチェンジ点として検出しても良い（このような検出を行う場合、検出部３４は圧縮処理部３２と連動して動作する）。
【００４１】
主制御部１３には、図９の表示制御部５１が内包されている。表示制御部５１は、表示部１５に接続され、再生モードにおいて、表示部１５における表示内容及び画像の再生内容を制御する。以下の説明において、表示及び表示画面とは、表示部１５における表示及び表示画面を指す。以下の説明では、説明の便宜上、表示の主体が表示制御部５１であるかのような記述を設けているが、実際の表示の主体は表示部１５である。従って例えば、“表示制御部５１が或る画像を表示、再生する”という表現は、“表示制御部５１が或る画像を表示部１５にて表示、再生させる”という表現と同義である。
【００４２】
以下、ＳＣタグ情報を利用した幾つかの実施例を説明する。矛盾無き限り、後述の第１〜第４実施例の内の、任意の２以上の実施例を組み合わせることが可能である。電子機器１は、記録モード、再生モード及び編集モードを含む複数の動作モードの何れかにて動作する。記録モードでは、画像ファイルの生成及び記録が行われる。第１〜第４実施例では、画像ファイルＦＬ［１］〜ＦＬ［６］が記録媒体１６に保存されている状態を想定し、主として再生モード又は編集モードにおける電子機器１の動作を説明する。また、以下では、動画像ＭＶ［５］の開始タイミングのフレーム（即ち、動画像ＭＶ［５］の第１番目のフレーム）の縮小画像が、当初、動画像ＭＶ［５］のサムネイル画像として画像ファイルＦＬ［５］に保存されているものとする（詳細は後述するが、当該サムネイル画像は事後的に他の画像に置き換えられうる）。
【００４３】
＜＜第１実施例＞＞
第１実施例を説明する。再生モードが起動すると或いは再生モードにおいて所定操作が入力されると、表示制御部５１は、表示部１５の表示画面１５Ａに、図１０に示す第１レイアウトを設定し、表示部１５にサムネイル表示を行わせる。第１レイアウトでは、表示画面１５Ａの全表示エリアに互いに異なる表示エリア５０１〜５０７が設定される。サムネイル表示では、図１１（ａ）又は（ｂ）に示す如く、表示エリア５０１〜５０６に夫々動画像ＭＶ［１］〜ＭＶ［６］のサムネイル画像ＴＭ［１］〜ＴＭ［６］が表示される（即ち６つのサムネイル画像ＴＭ［１］〜ＴＭ［６］が同時に並列表示される）と共に、表示エリア５０７に所望の情報が表示される。また、サムネイル表示では、サムネイル画像ＴＭ［１］〜ＴＭ［６］の何れかを選択するための選択枠ＳＦも表示される。尚、表示されるべきサムネイル画像の枚数が６を超える場合には、スクロール表示等を用いたサムネイル画像の時分割表示が行われる。また、第１レイアウトにおいて同時に表示される画像の枚数は６に限定されない。また、上述の想定と異なるが、記録媒体１６に画像ファイルＦＬ［５］しか保存されていなくても良く、この場合、サムネイル表示においてサムネイル画像ＴＭ［５］のみが表示される。
【００４４】
ユーザは、方向キー４０を用いて選択枠ＳＦを表示画面１５Ａ上で移動させ、選択枠ＳＦをサムネイル画像ＴＭ［ｉ］に合わせることでサムネイル画像ＴＭ［ｉ］を選択することができる（ｉは整数）。図１１（ａ）ではサムネイル画像ＴＭ［１］が選択され、図１１（ｂ）ではサムネイル画像ＴＭ［５］が選択されている。サムネイル表示において、サムネイル画像ＴＭ［ｉ］の選択は、動画像ＭＶ［ｉ］の選択と等価である。表示エリア５０７には、選択されている動画像ＭＶ［ｉ］の情報（ファイル名、動画像ＭＶ［ｉ］の長さ等）や、操作内容を説明する情報などが表示される。
【００４５】
図１１（ｂ）に示すような、サムネイル表示が成され且つ選択枠ＳＦにてサムネイル画像ＴＭ［５］が選択されている状態を状態ＳＴAと呼ぶ（図１２も参照）。この状態ＳＴAにおいて、ユーザがキー（Ｒｅｔキー）４５を短押しすると、図１２に示す如く、表示制御部５１は、表示画面１５Ａの表示をサムネイル表示から動画像再生表示に切り替えて、動画像ＭＶ［５］を最初から（即ち開始タイミングから）再生する。動画像再生表示では、表示画面１５Ａの全体又は所定表示エリアを用いて、再生されるべき動画像が再生される。
【００４６】
一方、状態ＳＴAにおいて、ユーザがキー（Ｒｅｔキー）４５を長押しすると、図１２に示す如く、表示制御部５１は、表示画面１５Ａの表示をサムネイル表示からタグ単位表示に切り替え、画像ファイルＦＬ［５］のヘッダ領域におけるＳＣタグ情報を利用して、動画像ＭＶ［５］のシーンチェンジ点ＳＣ１及びＳＣ２における画像３５２及び３５３を並列表示する。
【００４７】
タグ単位表示でも表示画面１５Ａに第１レイアウトが設定され、表示エリア５０１〜５０６の内の２つに画像３５２及び３５３が表示される。図８を参照し、画像３５２、３５３は、夫々、動画像ＭＶ［５］における区間３３２、３３３中の何れかのフレームの縮小画像である。ここでは、画像３５２、３５３は、夫々、動画像ＭＶ［５］におけるタイミングｔ１、ｔ２のフレームの縮小画像であるとする。また、タグ単位表示において、表示制御部５１は、最初のシーンチェンジ点ＳＣ１より前の区間、即ち、動画像ＭＶ［５］における区間３３１中の画像３５１も表示する。ここでは、画像３５１は、動画像ＭＶ［５］の開始タイミングにおけるフレームの縮小画像であって、サムネイル画像ＴＭ［５］と一致しているものとする。以下では、画像３５１〜３５３を代表画像とも呼ぶ。
【００４８】
代表画像３５２及び３５３の画像データの生成時期は任意である。例えば、画像ファイルＦＬ［５］の作成及び記録時において、主制御部１３（例えばファイル作成部３３）が代表画像３５２及び３５３の画像データを生成して画像ファイルＦＬ［５］のヘッダ領域に書き込んでいても良い（この場合、それらの画像データを表示制御部５１が画像ファイルＦＬ［５］から読み出せば良い）。或いは例えば、再生モードにおいて、タグ単位表示を行うときなどに、画像ファイルＦＬ［５］のＳＣタグ情報を元に、表示制御部５１が動画像ＭＶ［５］の画像データから代表画像３５２及び３５３の画像データを抽出、生成しても良い。
【００４９】
タグ単位表示でも、代表画像３５１〜３５３の何れかを選択するための選択枠ＳＦが表示される。ユーザは、方向キー４０を用いて選択枠ＳＦを表示画面１５Ａ上で移動させることで、代表画像３５１〜３５３の何れかを選択することができる。図１２の例では、タグ単位表示において、代表画像３５２が選択されており、代表画像３５２を選択した状態でユーザがキー（Ｒｅｔキー）４５を押下すると、表示制御部５１は、表示画面１５Ａの表示をタグ単位表示から動画像再生表示に切り替えて、代表画像３５２に対応するシーンチェンジ点ＳＣ１から（より具体的にはタイミングｔ１）から動画像ＭＶ［５］を再生する。図１２の状況とは異なるが、タグ単位表示において、代表画像３５３を選択した状態でキー４５の押下が成されると代表画像３５３に対応するシーンチェンジ点ＳＣ２から（より具体的にはタイミングｔ２）から動画像ＭＶ［５］が再生され、代表画像３５１を選択した状態でキー４５の押下が成されると動画像ＭＶ［５］が最初から再生される。
【００５０】
尚、キー４５の短押しとは、キー４５を所定時間以下だけ押す操作を指し、キー４５の長押しとは、キー４５を所定時間以上継続して押す操作を指す。キー４５の押下とは、キー４５を任意の時間だけ押す操作を指す。
【００５１】
上記の如く、第１実施例における表示制御部５１は、サムネイル表示の実行時において、対象動画像に対応するサムネイル画像を指定する所定の第１操作が操作部１７に入力されたとき表示部１５にて対象動画像を最初から再生する一方で、対象動画像に対応するサムネイル画像を指定する所定の第２操作が操作部１７に入力されたとき、対象動画像中のシーンチェンジ点（特異点）に対応する特異点画像を表示部１５に表示させる。動画像ＭＶ［５］が対象動画像であるとき、シーンチェンジ点は２つであるので、特異点画像が２つ（即ち３５２及び３５３）表示されるが、シーンチェンジ点の個数及び特異点画像の枚数は１又は３以上でありうる。勿論、動画像ＭＶ［５］以外の動画像（ＭＶ［１］等）も対象動画像になりうる。そして、表示制御部５１は、表示された何れかの特異点画像を指定する所定の第３操作が操作部１７に入力されたとき、指定特異点画像に対応するシーンチェンジ点（特異点）から対象動画像を表示部１５にて再生する。尚、図１２の例では、選択枠ＳＥＬをサムネイル画像ＴＭ［５］に合わせた状態でのキー４５の短押し、長押しが夫々上記第１操作及び第２操作に対応し、また、タグ単位表示において選択枠ＳＥＬを特異点画像（図１２の例では代表画像３５２）に合わせた状態でのキー４５の押下が第３操作に対応しているが、第１〜第３操作はどのような操作であっても良い（但し第１及び第２操作は互いに異なる）。
【００５２】
上記の如く、ＳＣタグ情報を利用してシーンチェンジ点からの再生を可能にしておくことにより、再生時における画像の検索性が高くなる（見たい映像部分を素早く再生させることができる）。
【００５３】
＜＜第２実施例＞＞
第２実施例を説明する。第２実施例では、主制御部１３に内包されるサムネイル処理部５５（図１３参照）の機能を説明する。記録モードにおいて、サムネイル処理部５５は、動画像ＭＶ［１］〜ＭＶ［６］の夫々について、動画像ＭＶ［ｉ］の画像データに基づきサムネイル画像ＴＭ［ｉ］を生成し、画像ファイルＦＬ［ｉ］のヘッダ領域にサムネイル画像ＴＭ［ｉ］の画像データを書き込むことでサムネイル画像ＴＭ［ｉ］を動画像ＭＶ［ｉ］に対応付ける。その後、電子機器１にてメニュー表示が成されているときにユーザが操作部１７に所定操作を入力することにより、編集モードの一種であるサムネイル置換モードが電子機器１にて起動する。
【００５４】
サムネイル置換モードが起動すると、表示制御部５１は、第１実施例で述べたものと同様のサムネイル表示を行う。ここでも、図１４に示す如く、方向キー４０の操作を介し、選択枠ＳＦにてサムネイル画像ＴＭ［５］が選択されている状態ＳＴA（図１２参照）を考える。状態ＳＴAにおいて、ユーザがキー（Ｒｅｔキー）４５を押下すると、図１４に示す如く、表示制御部５１は、表示画面１５Ａの表示をサムネイル表示から置換用表示に切り替え、画像ファイルＦＬ［５］のヘッダ領域におけるＳＣタグ情報を利用して動画像ＭＶ［５］のシーンチェンジ点の画像を表示する。
【００５５】
置換用表示における表示画面１５Ａのレイアウトは、図１５の第２レイアウトである。第２レイアウトでは、表示画面１５Ａの全表示エリアに互いに異なる表示エリア５１０、５２０及び５３０が設定される。表示エリア５２０は、上下方向に並んだ３つの表示エリア５２１〜５２３から成る。置換用表示において、表示エリア５２１〜５２３に夫々代表画像３５１〜３５３が並列表示されると共に表示エリア５３０に所望の情報（操作内容を説明する情報など）が表示される。表示エリア５１０については後述する。また、置換用表示では、代表画像３５１〜３５３の何れかを選択するための選択枠ＳＦも表示される。尚、表示エリア５２０に表示されるべき代表画像の枚数が３を超える場合には、スクロール表示等を用いた代表画像の時分割表示が行われる。また、表示エリア５２０に同時に表示される代表画像の枚数は３に限定されない。
【００５６】
置換用表示が成されているときに、ユーザは上キー４１及び下キー４２を用いて選択枠ＳＥＬを移動させることで代表画像３５１〜３５３の何れかを選択する。表示エリア５１０には選択された画像が拡大表示される。代表画像３５２を選択した状態でユーザがキー（決定キー）４６を押下すると（所定の置き替え指示操作が操作部１７に入力されると）、サムネイル処理部５５は、動画像ＭＶ［５］のサムネイル画像を代表画像３５２に置き換える。即ち、画像ファイルＦＬ［５］のヘッダ領域に書き込まれて動画像ＭＶ［５］に対応付けられるサムネイル画像ＴＭ［５］を、現在のサムネイル画像である代表画像３５１から代表画像３５２に置き換える。置き換えの結果は表示画面１５Ａに表示される（図１４参照）。代表画像３５３への置き換えが成される場合も同様である。
【００５７】
第２実施例によれば、ＳＣタグ情報を利用して、簡便にサムネイル画像の所望画像への置き換えが可能になる。ＳＣタグ情報が利用できない場合、例えば、パーソナルコンピュータを用意して画像編集ソフトを起動させ、動画像ＭＶ［５］を最初から再生して所望画像（画像３５２等）をユーザ自身が探索し、画像編集ソフト上で探索所望画像をサムネイル画像に設定する操作を行う必要がある（相当に手間がかかる）。
【００５８】
尚、第２実施例では、上記第１〜第３操作と異なる所定の第４操作の入力に応答して、表示制御部５１が、シーンチェンジ点の画像（特異点画像）を含む代表画像３５１〜３５３を表示部１５に表示させている。図１４の例において、第４操作は、サムネイル置換モードを起動させる所定操作と、その後においてキー（Ｒｅｔキー）４５を押す操作を含むが、第４操作の形態は任意である。
【００５９】
また、置換用表示において以下のような処理を行うこともでき、当該処理によって、シーンチェンジ点を基準としたサムネイル画像の置き換えの利便性が増す。説明の具体化のため、代表画像３５２が、動画像ＭＶ［５］のタイミングｔ１（図８参照）におけるフレームの縮小画像であると考え、置換用表示において代表画像３５２が選択されている状態ＳＴB（図１４参照）を基準にして考える（以下の処理は、代表画像３５１又は３５３が選択された場合にも同様に適用される）。
【００６０】
この状態ＳＴBにおいて、ユーザが右キー４４を押下すると（所定の送り操作が操作部１７に入力されると）、表示制御部５１は、動画像ＭＶ［５］のフレームの中から、タイミングｔ１より時間ΔｔFだけ後のタイミング（ｔ１＋ΔｔF）におけるフレーム３６１（図１６（ａ）参照）を抽出して表示エリア５１０に表示する。フレーム３６１が表示エリア５１０に表示されている状態において、ユーザがキー（決定キー）４６を押下すると（所定の置き替え指示操作が操作部１７に入力されると）、サムネイル処理部５５は、動画像ＭＶ［５］のサムネイル画像をフレーム３６１（実際にはフレーム３６１の縮小画像）に置き換える。即ち、画像ファイルＦＬ［５］のヘッダ領域に書き込まれて動画像ＭＶ［５］に対応付けられるサムネイル画像ＴＭ［５］を、画像３５１からフレーム３６１（実際にはフレーム３６１の縮小画像）に置き換える。右キー４４を押下する時間が増大すれば時間ΔｔFも増大する。尚、時間ΔｔFの増大に伴ってタイミング（ｔ１＋ΔｔF）が区間３３２から区間３３３に移行すれば（図８参照）、置換用表示における選択枠ＳＥＬが代表画像３５２の部分から代表画像３５３の部分へと移動する。
【００６１】
逆に、状態ＳＴBにおいて、ユーザが左キー４３を押下すると（所定の戻り操作が操作部１７に入力されると）、表示制御部５１は、動画像ＭＶ［５］のフレームの中から、タイミングｔ１より時間ΔｔBだけ前のタイミング（ｔ１−ΔｔB）におけるフレーム３６２（図１６（ｂ）参照）を抽出して表示エリア５１０に表示する。フレーム３６２が表示エリア５１０に表示されている状態において、ユーザがキー（決定キー）４６を押下すると（所定の置き替え指示操作が操作部１７に入力されると）、サムネイル処理部５５は、動画像ＭＶ［５］のサムネイル画像をフレーム３６２（実際にはフレーム３６２の縮小画像）に置き換える。即ち、画像ファイルＦＬ［５］のヘッダ領域に書き込まれて動画像ＭＶ［５］に対応付けられるサムネイル画像ＴＭ［５］を、画像３５１からフレーム３６２（実際にはフレーム３６２の縮小画像）に置き換える。左キー４３を押下する時間が増大すれば時間ΔｔBも増大する。
【００６２】
＜＜第３実施例＞＞
第３実施例を説明する。記録制御部５０は、動画像ＭＶの全区間における画像データを画像ファイルＦＬ［５］に記録した後、編集モードにおいて、動画像ＭＶの画像データの一部を画像ファイルＦＬ［５］から削除することができる。そのような削除を実現する機能として、シーン削除機能及び部分削除機能がある。第３実施例では、シーン削除機能を説明する。
【００６３】
第３実施例では、説明の便宜上、図１７に示す如く、動画像ＭＶ［５］の全区間が区間３３１、３３２、３３４、３３３及び３３５から成るものとする。動画像ＭＶ［５］における時系列上に、区間３３１、３３２、３３４、３３３及び３３５がこの順番で並ぶ。区間３３１及び３３２間のシーンチェンジ点ＳＣA、区間３３２及び３３４間のシーンチェンジ点ＳＣB、区間３３４及び３３３間のシーンチェンジ点ＳＣC、並びに、区間３３３及び３３５間のシーンチェンジ点ＳＣDがシーンチェンジ検出部３４によって検出され、シーンチェンジ点ＳＣA、ＳＣB、ＳＣC及びＳＣDを示すＳＣタグ情報が画像ファイルＦＬ［５］に書き込まれる。区間３３４は、上記アナログビデオカメラを用いた撮影において撮影者が誤って地面を撮影していた区間に相当する。区間３３５は、動画像ＭＶ［５］に対応する磁気テープにおいて被写体の撮影結果であるアナログ映像信号が記憶されていない区間（ブルーバック区間）に相当する。
【００６４】
電子機器１にてメニュー表示が成されているときにユーザが操作部１７に所定操作を入力することにより、編集モードの一種であるシーン削除モードが電子機器１にて起動する。シーン削除モードが起動すると、表示制御部５１は、第１実施例で述べたものと同様のサムネイル表示を行う。ここでも、図１８に示す如く、方向キー４０の操作を介し、選択枠ＳＦにてサムネイル画像ＴＭ［５］が選択されている状態ＳＴA（図１２参照）を考える。状態ＳＴAにおいて、ユーザがキー（Ｒｅｔキー）４５を押下すると（所定操作を操作部１７に入力すると）、図１８に示す如く、表示制御部５１は、表示画面１５Ａの表示をサムネイル表示からシーン削除用表示に切り替え、画像ファイルＦＬ［５］のヘッダ領域におけるＳＣタグ情報を利用して、動画像ＭＶ［５］のシーンチェンジ点ＳＣA、ＳＣB、ＳＣC及びＳＣDに対応する代表画像３５２、３５４、３５３及び３５５を表示する。
【００６５】
代表画像３５２、３５４、３５３、３５５は、夫々、区間３３２、３３４、３３３、３３５中の何れかのフレームの縮小画像であり、ここでは、夫々、区間３３２、３３４、３３３、３３５中の１番目のフレームの縮小画像であるとする。また、シーン削除用表示において、表示制御部５１は、上述の代表画像３５１も表示する。
【００６６】
代表画像３５２〜３５５の画像データの生成時期は任意である。例えば、画像ファイルＦＬ［５］の作成及び記録時において、主制御部１３（例えばファイル作成部３３）が代表画像３５２〜３５５の画像データを生成して画像ファイルＦＬ［５］のヘッダ領域に書き込んでいても良い（この場合、それらの画像データを表示制御部５１が画像ファイルＦＬ［５］から読み出せば良い）。或いは例えば、再生モードにおいて、シーン削除用表示を行うときなどに、画像ファイルＦＬ［５］のＳＣタグ情報を元に、表示制御部５１が動画像ＭＶ［５］の画像データから代表画像３５２〜３５５の画像データを抽出、生成しても良い。
【００６７】
シーン削除用表示でも図１０の第１レイアウトを利用可能であり、図１８の例では、表示エリア５０１〜５０５に夫々代表画像３５１、３５２、３５４、３５３及び３５５が表示される。シーン削除用表示において、ユーザは、方向キー４０を用いて表示画面１５Ａ上で選択枠ＳＥＬを所望位置に移動させ、キー（Ｒｅｔキー）４５を用いて代表画像３５１〜３５５の内の１以上の代表画像を削除対象シーン画像に指定する。表示エリア５０７（図１０参照）には、選択枠ＳＥＬ内の画像に対応する区間（区間３３１〜３３５の何れか）の時間長さや操作内容を説明する情報などが表示される。
【００６８】
ユーザは区間３３４及び３３５を削除したいと考えているものとし、これに対応して、代表画像３５４及び３５５が削除対象シーン画像に指定されたとする。この指定を成した状態でユーザがキー（決定キー）４６を押下すると、記録制御部５０は、動画像ＭＶ［５］の全区間の内、削除対象シーン画像３５４及び３５５に対応する区間３３４及び３３５の画像データを画像ファイルＦＬ［５］から削除する。記録制御部５０は、当該削除後の画像ファイルＦＬ［５］のファイル名を、削除前の画像ファイルＦＬ［５］のファイル名と同じにする（即ち、画像ファイルＦＬ［５］の上書きを行う）。この際、削除前の画像ファイルＦＬ［５］に別のファイル名（全ファイル名中、最後尾に序列されるファイル名）を割り当てて、削除前の画像ファイルＦＬ［５］を記録媒体１６に別途保持させておいても良い。
【００６９】
上述の如く、シーン削除機能では、所定操作（上述の例においてキー４５の押下）に応答して対象動画像中のシーンチェンジ点（特異点）に対応する特異点画像を表示する。図１７で想定した動画像ＭＶ［５］が対象動画像であるとき、シーンチェンジ点は４つであるので、特異点画像が４つ（即ち３５２〜３５５）表示されるが、シーンチェンジ点の個数及び特異点画像の枚数は１以上の任意の整数でありうる。勿論、動画像ＭＶ［５］以外の動画像（ＭＶ［１］等）も対象動画像になりうる。そして、表示された何れかの特異点画像を削除対象シーン画像に指定する操作を含む所定の削除指示操作が操作部１７に入力されたとき、記録制御部５０は、削除対象シーン画像に対応するシーンチェンジ点のタイミングから始まる、対象動画像の一部を、対象動画像の画像ファイルから削除する。図１８の例において、削除指示操作はキー（決定キー）４６の押下も含む。
【００７０】
シーンチェンジ点ＳＣB及び区間３３４に対応する削除対象シーン画像３５４に注目した場合、動画像ＭＶ［５］においてシーンチェンジ点ＳＣBよりも後に他のシーンチェンジ点ＳＣCがあるため、記録制御部５０は、画像３５４に対応するシーンチェンジ点ＳＣBから始まって次のシーンチェンジ点ＳＣCまでの区間（即ち区間３３４）の画像データを画像ファイルＦＬ［５］から削除する。シーンチェンジ点ＳＣD及び区間３３５に対応する削除対象シーン画像３５５に注目した場合、動画像ＭＶ［５］においてシーンチェンジ点ＳＣDよりも後に他のシーンチェンジ点が無いため、記録制御部５０は、画像３５５に対応するシーンチェンジ点ＳＣDから始まって動画像ＭＶ［５］の終了タイミングまでの区間（即ち区間３３５）の画像データを画像ファイルＦＬ［５］から削除する。
【００７１】
第３実施例によれば、ＳＣタグ情報を利用して、簡便に不要区間（３３４、３３５）を画像ファイルから削除することが可能となる。ＳＣタグ情報が利用できない場合、例えば、パーソナルコンピュータを用意して画像編集ソフトを起動させ、画像編集ソフト上において、何らタグ情報を持たない６０分ぶんの映像を見ながら、不要区間ごとに、ユーザが手動で不要区間の始点及び終点を選択／設定する必要がある（相当に手間がかかる）。
【００７２】
尚、削除対象シーン画像の指定後、削除対象シーン画像に対応する画像データを実際に画像ファイルから削除する前に、以下の確認表示を行うようにしても良い。
【００７３】
例えば、代表画像３５４が削除対象シーン画像に指定された上でキー（決定キー）４６が押下されたとき、図１９（ａ）に示す如く、表示制御部５１は、シーンチェンジ点ＳＣBのタイミングにおける代表画像３５４と共に画像３５４Ｂ及び３５４Ｆを表示し（更に区間３３４の時間長さ等も表示し）、区間３３４を本当に削除すべきが問い合わせる。そして、その表示が成されているときにキー（決定キー）４６が再び押下された場合に限って、記録制御部５０は、区間３３４の画像データを画像ファイルＦＬ［５］から削除するようにしても良い。画像３５４Ｂ、３５４Ｆは、夫々、動画像ＭＶ［５］のフレームの内、シーンチェンジ点ＳＣBのタイミングより所定時間だけ前のタイミングのフレームの縮小画像、シーンチェンジ点ＳＣBのタイミングより所定時間だけ後のタイミングのフレームの縮小画像である。
【００７４】
画像３５４Ｂ、３５４Ｆが、夫々、クリスマス会の様子、雪遊びの様子を示す画像である場合において、仮に“クリスマス会と雪遊びの撮影の間に、餅つきの様子を撮影したはず”という記憶をユーザが持っていたならば、ユーザは、区間３３４の全てを削除すべきでないと判断して区間３３４の削除のキャンセルを行う。ユーザの上記記憶が正しく、実際に区間３３４中に餅つきの様子の映像信号が含まれていることもある。このような事態は、シーンチェンジ検出部３４が地面撮り区間と餅つき区間との間のシーンチェンジ検出を失敗した場合に発生する。シーンチェンジ検出が常に成功するとは限らず、結果、シーン削除機能によって必要な区間も削除される可能性はゼロではない。上記のような確認表示を行うことで、必要な区間が削除される可能性を低減することができる。
【００７５】
或いは例えば、代表画像３５５が削除対象シーン画像に指定された上でキー（決定キー）４６が押下されたとき、図１９（ｂ）に示す如く、表示制御部５１は、シーンチェンジ点ＳＣDのタイミングにおける代表画像３５５と共に画像３５５Ｂ及び３５５Ｆを表示し（更に区間３３５の時間長さ等も表示し）、区間３３５を本当に削除すべきが問い合わせる。そして、その表示が成されているときにキー（決定キー）４６が再び押下された場合に限って、記録制御部５０は、区間３３５の画像データを画像ファイルＦＬ［５］から削除するようにしても良い。画像３５５Ｂは、動画像ＭＶ［５］のフレームの内、シーンチェンジ点ＳＣDのタイミングより所定時間だけ前のタイミングのフレームの縮小画像である。画像３５５Ｆは、代表画像３５５に対応するシーンチェンジ点の後に他のシーンチェンジ点が存在していないことを示す。
【００７６】
＜＜第４実施例＞＞
第４実施例を説明する。第４実施例では、上述の部分削除機能を説明する。電子機器１にてメニュー表示が成されているときにユーザが操作部１７に所定操作を入力することにより、編集モードの一種である部分削除モードが電子機器１にて起動する。部分削除モードが起動すると、表示制御部５１は、第１実施例で述べたものと同様のサムネイル表示を行う。ここでも、図２０に示す如く、方向キー４０の操作を介し、選択枠ＳＦにてサムネイル画像ＴＭ［５］が選択されている状態ＳＴA（図１２参照）を考える。状態ＳＴAにおいて、ユーザがキー（Ｒｅｔキー）４５を押下すると、図２０に示す如く、表示制御部５１は、表示画面１５Ａの表示をサムネイル表示から部分削除用表示に切り替え、画像ファイルＦＬ［５］のヘッダ領域におけるＳＣタグ情報を利用して動画像ＭＶ［５］のシーンチェンジ点の画像を表示する。以後の操作によって、記録制御部５０に内包される部分削除処理部（不図示）は、対象動画像としての動画像ＭＶ［５］の全区間の一部である、削除対象区間の動画像部分を画像ファイルＦＬ［５］から削除することができる。
【００７７】
部分削除用表示における表示画面１５Ａのレイアウトは、図１５の第２レイアウトと同じである。部分削除用表示において、表示エリア５２１〜５２３に夫々代表画像３５１〜３５３が並列表示されると共に表示エリア５３０に所望の情報（操作内容を説明する情報など）が表示される。表示エリア５１０については後述する。また、部分削除用表示では、代表画像３５１〜３５３の何れかを選択する選択枠ＳＦも表示される。尚、表示エリア５２０に表示されるべき代表画像の枚数が３を超える場合には、スクロール表示等を用いた代表画像の時分割表示が行われる。また、表示エリア５２０に同時に表示される代表画像の枚数は３に限定されない。
【００７８】
部分削除用表示では、表示エリア５１０内にバーアイコン４００、始点アイコン４０１及び終点アイコン４０２が表示され、ユーザは、左キー４３及び右キー４４を用いてアイコン４０１及び４０２をバーアイコン４００上で移動させ、それらの位置を決定することで削除対象区間を指定する。バーアイコン４００の全長は動画像ＭＶ［５］の全区間に対応する。
【００７９】
図２０を参照して、より具体的に説明する。第４実施例において、以下に述べるフレームとは、特に記述無き限り、動画像ＭＶ［５］を形成するフレーム又は該フレームの縮小画像を指す。アイコン４０１が指し示すタイミングを始点タイミングと呼び、アイコン４０２が指し示すタイミングを終点タイミングと呼ぶ。部分削除用表示が成された当初の状態を、便宜上、状態ＳＴC1と呼ぶ。状態ＳＴC1では、代表画像３５１が選択枠ＳＦにて選択され、且つ、アイコン４０１が移動対象アイコンに設定されていると共に始点タイミングは動画像ＭＶ［５］の開始タイミングと一致している。表示エリア５１０にはアイコン４００〜４０２と共に移動対象アイコンが指し示すタイミングのフレームが表示される。故に、状態ＳＴC1では、動画像ＭＶ［５］の開始タイミングのフレームが表示エリア５１０に表示される。また、部分削除用表示において、選択枠ＳＥＬは、区間３３１〜３３３の内、移動対象アイコンが指し示すタイミングが属する区間の代表画像（３５１、３５２又は３５３）を選択している。
【００８０】
状態ＳＴC1を起点として、上キー４１又は下キー４２を押下することで、選択枠ＳＥＬによって選択される画像が代表画像３５１〜３５３間で切り替わる。選択枠ＳＥＬが移動して選択枠ＳＥＬにより選択される画像が代表画像３５１、３５２、３５３になったとき、始点タイミングは、夫々、動画像ＭＶ［５］の開始タイミング、シーンチェンジ点ＳＣ１のタイミングｔ１、シーンチェンジ点ＳＣ２のタイミングｔ２となる。故に、状態ＳＴC1を起点として下キー４２が１回だけ押下されると、表示画面１５Ａの状態は状態ＳＴC1から図２０の中段に示される状態ＳＴC2に遷移し、状態ＳＴC2では、タイミングｔ１（図８参照）におけるフレームが表示エリア５１０に表示される。
【００８１】
状態ＳＴC2を基準として、ユーザは左キー４３及び右キー４４を用いて微調整操作を操作部１７に入力することができ、これによって、始点タイミングをタイミングｔ１を起点として変化させることができる。必要に応じ微調整操作を介して始点タイミングを調整した後、図２のキー（Ｍキー）４７を押下すれば、移動対象アイコンがアイコン４０１から４０２に切り替わる。移動対象アイコンがアイコン４０１からアイコン４０２に切り替わった直後の状態を状態ＳＴC3と呼ぶ。状態ＳＴC3では、代表画像３５３が選択枠ＳＦにて選択されており、終点タイミングは動画像ＭＶ［５］の終了タイミングである。
【００８２】
状態ＳＴC3を基準として、ユーザは左キー４３及び右キー４４を用いて微調整操作を操作部１７に入力することができ、これによって、終点タイミングを動画像ＭＶ［５］の終了タイミングを起点として変化させることができる。また、状態ＳＴC3を基準として、上キー４１を１回押下すれば終点タイミングがシーンチェンジ点ＳＣ２のタイミングｔ２に切り替わる。上キー４１を更に１回押下すれば終点タイミングがシーンチェンジ点ＳＣ１のタイミングｔ１に切り替わるが、終点タイミングが始点タイミングの前にくることは無い。必要に応じ微調整操作を介して終点タイミングが調整された後、キー（決定キー）４６が押下されると、その時点で始点及び終点タイミングが確定する。始点及び終点タイミングが確定すると、記録制御部５０内の部分削除処理部（不図示）は、動画像ＭＶ［５］の全区間の内、確定した始点タイミング及び終点タイミング間の区間以外の区間を削除対象区間に設定し、削除対象区間の動画像部分（即ち、画像データ）を画像ファイルＦＬ［５］から削除する。
【００８３】
上述の如く、部分削除処理部は、操作部１７を介し、シーンチェンジ点のタイミングを基準に削除対象区間の指定を受け付け可能である（換言すれば、操作部１７は、シーンチェンジ点のタイミングを基準に削除対象区間の指定が可能となるように、削除対象区間を指定する操作の入力を受ける）。これにより、簡便に削除対象区間（不要区間）を指定して削除対象区間（不要区間）を素早く画像ファイルから削除することが可能となる（画像ファイルの記録時間が長くても、素早く削除対象区間を指定することができる）。ＳＣタグ情報が利用できない場合、例えば、パーソナルコンピュータを用意して画像編集ソフトを起動させ、画像編集ソフト上において、何らタグ情報を持たない６０分ぶんの映像を最初又は最後から見ながら、ユーザが手動で始点タイミング及び終点タイミングを選択／設定する必要がある（相当に手間がかかる）。例えば、磁気テープ６０分ぶんのシーンの内の、真ん中の２０分のシーンしか必要でなかったとしても、動画像ＭＶ［５］の開始タイミングを基準にして必要シーンの始まりをユーザ自身が探索して始点タイミングに設定した後、動画像ＭＶ［５］の開始又は終了タイミングを基準にして必要シーンの終わりをユーザ自身が探索して終点タイミングに設定する必要がある。第４実施例によれば、必要又は不要シーンに対応する代表画像の選択を介して、簡単に必要シーンだけを画像ファイルに残すことができる。
【００８４】
尚、図２０の例では、削除対象区間以外の区間（即ち、画像ファイルＦＬ［５］に残すべき区間）の始点及び終点タイミングがユーザによって指定されているが、削除対象区間の始点及び終点タイミングが指定されるようにしても良い。何れの指定によっても削除対象区間が定まる。
【００８５】
＜＜変形等＞＞
本発明の実施形態は、特許請求の範囲に示された技術的思想の範囲内において、適宜、種々の変更が可能である。以上の実施形態は、あくまでも、本発明の実施形態の例であって、本発明ないし各構成要件の用語の意義は、以上の実施形態に記載されたものに制限されるものではない。上述の説明文中に示した具体的な数値は、単なる例示であって、当然の如く、それらを様々な数値に変更することができる。上述の実施形態に適用可能な注釈事項として、以下に、注釈１〜注釈６を記す。各注釈に記載した内容は、矛盾なき限り、任意に組み合わせることが可能である。
【００８６】
［注釈１］
シーンチェンジの有無を峻別する閾値等によっては、実際にシーンチェンジが起こっていないのにシーンチェンジが有ると判断されることがある。このような事態を抑制するべく、例えば、シーンチェンジ検出部３４は、１つのシーンチェンジ点を検出したら、一定時間は次のシーンチェンジ点の検出を禁止しても良いし、１つのシーンチェンジ点の検出時点から一定時間が経過するまでの区間においてシーンチェンジの有無を峻別する閾値を他の区間よりも高くしても良い。逆に、実際にシーンチェンジが起こっているのにシーンチェンジが無いと判断されることも起こり得る。これに対し、シーンチェンジ検出部３４は、例えば、１つのシーンチェンジ点の検出後、一定時間経過しても次のシーンチェンジ点を検出できない場合には、当該１つのシーンチェンジ点を検出してから一定時間が経過した時点を強制的に次のシーンチェンジ点とみなすようにしても良い。
【００８７】
［注釈２］
上述の実施形態では、選択枠ＳＥＬを用いて何れかの画像の選択状態を表現しているが、何れの画像が選択されているのかをユーザが認識できる限り、選択状態の表現方法は任意である（例えば、選択されている画像の外枠の色を変える、明滅させる等）。
【００８８】
［注釈３］
電子機器１に、上述した機能以外の機能が更に設けられていてもよい。例えば、電子機器１に撮影機能が設けられていても良い。この場合、ＣＣＤ（Charge Coupled Device）又はＣＭＯＳ（Complementary Metal Oxide Semiconductor）イメージセンサ等の固体撮像素子を有し、撮影によって被写体の画像信号を生成する撮像部が、撮像装置とも言うべき電子機器１に設けられる。撮像部による撮影動画像が上述の動画像ＭＶ［ｉ］に相当すると考えても良い。撮像部から出力される被写体の画像信号がアナログ信号（アナログ映像信号）である場合、撮像部の出力画像信号をアナログ信号処理部１２に与えることで、撮像部の撮影動画像としての動画像ＭＶ［ｉ］の画像データが生成される。
【００８９】
撮像部から出力される被写体の画像信号がデジタル信号である場合においても、撮像部の出力画像信号を信号処理部１２に入力することが可能である。この場合には、当然、信号処理部１２にて入力画像信号のデジタル化は不要であり、信号処理部１２は、アナログ／デジタル変換処理以外の所定の信号処理（例えば、信号増幅、デモザイキング処理、ノイズ低減処理、エッジ強調処理）を撮像部の出力画像信号（出力デジタル画像信号）に施し、これによって得た画像信号（信号処理を経た撮像部の出力画像信号）を、動画像ＭＶ［ｉ］の画像データとして出力すれば良い。
【００９０】
［注釈４］
上述の実施形態では、圧縮された画像データ及び音響データである圧縮画像データ及び圧縮音響データを記録媒体１６（画像ファイル）に記録するようにしているが、画像データ及び音響データを、圧縮することなく記録媒体１６（画像ファイル）に記録するようにしても良い。
【００９１】
［注釈５］
アナログ音響信号の入力端子１１への入力、アナログ信号処理部１２によるアナログ音響信号のデジタル化、及び、圧縮音響データ等の音響データの記録は、割愛されても良い。
【００９２】
［注釈６］
電子機器１を、ハードウェア、或いは、ハードウェアとソフトウェアの組み合わせによって構成することができる。電子機器１にて実現される機能の全部又は一部である任意の特定の機能をプログラムとして記述して、該プログラムをメモリ部１４に保存しておき、該プログラムをプログラム実行装置（例えばＣＰＵ３１）上で実行することによって、その特定の機能を実現するようにしてもよい。上記プログラムは任意の記録媒体に記憶及び固定されうる。上記プログラムを記憶及び固定する記録媒体は電子機器１と異なる機器（サーバ機器等）に搭載又は接続されても良い。
【符号の説明】
【００９３】
１  電子機器
１５  表示部
１６  記録媒体
１７  操作部
５０  記録制御部
５１  表示制御部
５５  サムネイル処理部
【図１】
2014086815.tif 000003
【図２】
2014086815.tif 000004
【図３】
2014086815.tif 000005
【図４】
2014086815.tif 000006
【図５】
2014086815.tif 000007
【図６】
2014086815.tif 000008
【図７】
2014086815.tif 000009
【図８】
2014086815.tif 000010
【図９】
2014086815.tif 000011
【図１０】
2014086815.tif 000012
【図１１】
2014086815.tif 000013
【図１２】
2014086815.tif 000014
【図１３】
2014086815.tif 000015
【図１４】
2014086815.tif 000016
【図１５】
2014086815.tif 000017
【図１６】
2014086815.tif 000018
【図１７】
2014086815.tif 000019
【図１８】
2014086815.tif 000020
【図１９】
2014086815.tif 000021
【図２０】
2014086815.tif 000022
【図２１】
2014086815.tif 000023